(57)【特許請求の範囲】
【請求項１】
矩形状の固定支持枠と、該固定支持枠の矩形開口内に開閉自在に取り付けられるドアパネルと、該ドアパネルの下端縁に垂設されて同固定支持枠の下枠部との間に生じる隙間を密閉する柔軟なパッキン片と、を備えたドア用止水装置であって、ドアパネルの下端縁部分に下方へ開口したパッキン収容スペースを形成し、該パッキン収容スペース内でパッキン片を伸縮自在な弾性材を介し支持吊設して、該パッキン片の下部を同パッキン収容スペースから下方へ垂下突設し、ドアパネルの閉動作に伴って、固定支持枠の下枠部の上面に当接した同パッキン片が折曲弾性変形されると共に伸張される前記弾性材の弾性復元力に抗して同パッキン収容スペースから引き出されることで、該パッキン片と同下枠部の上面との間の接触面積が増大されるようになしたものであって、相互に接触される固定支持枠の下枠部の上面とパッキン片との間に生じる摩擦抵抗で、該パッキン片が同下枠部の上面に当接保持されることによって、同パッキン片が折曲弾性変形されると共にパッキン収容スペースから引き出されるようになしたドア用止水装置。
【請求項２】
ドアパネルに付設された把手ハンドルの操作により、パッキン片がパッキン収容スペース内へと引き込まれて復帰されるようになしたことを特徴とする請求項１記載のドア用止水装置。
【請求項３】
固定支持枠の下枠部の上面に、ドアパネルが開けられる側からその閉じ方向へ向かって徐々に高くなる傾斜面部を形成したことを特徴とする請求項１又は２記載のドア用止水装置。
【請求項４】
折曲弾性変形されて固定支持枠の下枠部の上面に当接されるパッキン片の外側面に低硬度弾性材層を形成し、同パッキン片の内側を高硬度弾性材層で形成したことを特徴とする請求項１〜３のいずれか一つに記載のドア用止水装置。
【請求項５】
折曲弾性変形されて固定支持枠の下枠部の上面に当接されるパッキン片の外側面に表面層を形成し、該表面層とその内側に形成される芯材層との色を相違させたことを特徴とする請求項１〜４のいずれか一つに記載のドア用止水装置。
【請求項６】
パッキン片の下部先端付近の側端にガイドピンを突設し、該ガイドピンが出入自在に係合されるガイド溝部を固定支持枠の側枠部内側面に形成し、ドアパネルの閉動作に伴って、該ガイド溝部に係合された同ガイドピンが摺動ガイドされることで、同パッキン片が折曲弾性変形されると共にパッキン収容スペースから引き出されるようになしたことを特徴とする請求項１〜５のいずれか一つに記載のドア用止水装置。
【請求項７】
固定支持枠を浴室の出入り口に設置し、該固定支持枠の下枠部の上面をその両側の浴室側床面及び脱衣室側床面と略同一高さで連続させたことを特徴とする請求項１〜６のいずれか一つに記載のドア用止水装置。
【発明の詳細な説明】
【０００１】
【発明の属する技術分野】
本願発明は、ドアパネルの下端縁と固定支持枠の下枠部との間に生じる隙間を密閉する柔軟なパッキン片を備え、例えば、浴室ドアに用いられるドア用止水装置に関するものである。
【０００２】
【従来の技術】
従来から、特開平１０−１４０９４７号公報に示される如く、浴室ドアの下方に発生する隙間をその閉動作に伴って密閉することができるドア用止水装置は知られている。該ドア用止水装置は、図１６、１７に示す如く、矩形状の固定支持枠１と、該固定支持枠１の矩形開口内に開閉自在に取り付けられるドアパネル２と、該ドアパネル２の下端縁に垂設されて同固定支持枠１の下枠部３との間に生じる隙間を密閉する柔軟なパッキン片50と、を備えている。この場合、パッキン片50はドアパネル２の下框に取着固定されており、固定支持枠１の下枠部３にも止水性を補うためにパッキン片51が取着固定されている。
【０００３】
そして、該ドア用止水装置では、ドアパネル２が固定支持枠１の一方の側枠にグラビティヒンジ52を介して取着支持されることで、該ドアパネル２の閉動作に伴ってその下方に発生する隙間は密閉される。すなわち、ドアパネル２を閉じる際に、図１７（ａ）（ｂ）に示す如く、該ドアパネル２はグラビティヒンジ52の作用によって下降し、固定支持枠１の下枠部３と同ドアパネル２の下框との間に挟まれるパッキン片50が圧縮されて弾性変形し、これにより、該両者間の水密性は実現されることになる。
【０００４】
ここでは、固定支持枠１の下枠部３に取着固定されたパッキン片51が、閉じられたドアパネル２の下框の背面側に当接し、前記パッキン片50とで二重に封止されて止水性は補われる。又、逆に、ドアパネル２を開ける際には、該ドアパネル２がグラビティヒンジ52の作用によって上昇し、これにより、前記圧縮されるパッキン片50による摩擦抵抗は減少して、同ドアパネル２を抵抗少なく開けることができるものである。
【０００５】
更に、この場合、固定支持枠１の下枠部３の上面がその両側の床面と略同一高さで連続されており、所謂、バリアフリーと称される段差の無い構造となっていて、該構造において有効なドア用止水装置となる。すなわち、近年、固定支持枠１の下枠部３の上面を高くしてその両側の床面との間に段差を設けると、該段差に足を引っ掛けてつまずいたりする恐れがあり、このようなことにならないよう浴室の出入り口では段差を解消するというバリアフリー化が望まれている。ここでは、特に、ドアパネル２の下方に発生する隙間をその閉動作に伴って密閉することのできるドア用止水装置が、同ドアパネル２の開閉動作に支障を来さないということで有効となるものである。
【０００６】
【発明が解決しようとする課題】
しかしながら、上記従来の技術にあっては、ドアパネル２の重量によってパッキン片50が圧縮されるものであり、該ドアパネル２の重量によるパッキン片50の弾性変形だけでは、止水性を維持確保するための密閉圧力が十分には得られないという問題があった。例えば、パッキン片50の耐変形圧力が小さいと、該パッキン片50は、経時変化によって変形したり、浴槽からの多量の溢水やシャワー等の水圧力によって変形したりして、水漏れが発生し易いものであった。
【０００７】
又、前記密閉圧力を満足させるためには、ドアパネル２の重量を増大させる必要があり、この場合には、人力による同ドアパネル２の開閉動作が困難になるという問題を生じるものでもあった。又、パッキン片50と前記固定支持枠１の下枠部３に設けたパッキン片51とで二重に封止することにより止水性が補われているものの、該パッキン片51はドアパネル２の下框に当接されるだけでほとんど圧縮されるものでなく、止水性を維持確保するための密閉圧力が十分には得られないものであった。
【０００８】
本願発明は、上記従来の技術における問題を悉く解決するためになされたもので、その課題は、ドアパネルの閉動作に伴って簡単にパッキン片と固定支持枠の下枠部との間の接触面積が増大されると共に密閉圧力も高められ、止水性が維持確保されるドア用止水装置を提供することである。
【０００９】
【課題を解決するための手段】
本願請求項１記載の発明に係るドア用止水装置は、矩形状の固定支持枠と、該固定支持枠の矩形開口内に開閉自在に取り付けられるドアパネルと、該ドアパネルの下端縁に垂設されて同固定支持枠の下枠部との間に生じる隙間を密閉する柔軟なパッキン片と、を備えたドア用止水装置において、ドアパネルの下端縁部分に下方へ開口したパッキン収容スペースを形成し、該パッキン収容スペース内でパッキン片を伸縮自在な弾性材を介し支持吊設して、該パッキン片の下部を同パッキン収容スペースから下方へ垂下突設し、ドアパネルの閉動作に伴って、固定支持枠の下枠部の上面に当接した同パッキン片が折曲弾性変形されると共に伸張される前記弾性材の弾性復元力に抗して同パッキン収容スペースから引き出されることで、該パッキン片と同下枠部の上面との間の接触面積が増大されるようになした。
【００１０】
したがって、この場合、ドアパネルの閉動作に伴って、固定支持枠の下枠部の上面に当接したパッキン片が折曲弾性変形されると共にパッキン収容スペースから引き出されるようになっているので、該引き出されて長く突出したパッキン片と同下枠部の上面との間の接触面積は増大され、同折曲弾性変形されたパッキン片の弾性復元力によって密閉圧力も高められ、人力によるエネルギー畜力で高密閉圧力にての止水性向上が簡単に図られる。
【００１１】
しかも、前記パッキン片は、ドアパネルの下端縁部分に形成されたパッキン収容スペース内で伸縮自在な弾性材を介して支持吊設され、該弾性材の弾性復元力に抗して同パッキン収容スペースから引き出されるものであるため、ドアパネルを開ける際、該パッキン片が同弾性材の弾性復元力によりパッキン収容スペース内へと引き込まれて体裁良くコンパクトに納まる。又、その際、パッキン片と下枠部の上面との間における摩擦抵抗も減少して、ドアパネルを抵抗少なくスムーズに開けることができる。
【００１２】
また、このドア用止水装置においては、相互に接触される固定支持枠の下枠部の上面とパッキン片との間に生じる摩擦抵抗で、該パッキン片が同下枠部の上面に当接保持されることによって、同パッキン片が折曲弾性変形されると共にパッキン収容スペースから引き出されるようになしている。したがって、該パッキン片は簡単な構造で折曲弾性変形されて引き出されるようになる。
【００１３】
本願請求項２記載の発明に係るドア用止水装置は、上記請求項１記載のドア用止水装置において、ドアパネルに付設された把手ハンドルの操作により、パッキン片がパッキン収容スペース内へと引き込まれて復帰されるようになしたことを
特徴とする。
【００１４】
したがって、この場合は特に、ドアパネルに付設された把手ハンドルの操作により、パッキン片がパッキン収容スペース内へと引き込まれて復帰されるようになしているので、ドアパネルを開ける際、同把手ハンドルを操作することでパッキン片はパッキン収容スペース内へと確実に引き込まれ、この状態で、ドアパネルをより抵抗少なくスムーズに開けることができる。
【００１５】
本願請求項３記載の発明に係るドア用止水装置は、上記請求項１又は２記載のドア用止水装置において、固定支持枠の下枠部の上面に、ドアパネルが開けられる側からその閉じ方向へ向かって徐々に高くなる傾斜面部を形成したことを特徴とする。
【００１６】
したがって、この場合は特に、固定支持枠の下枠部の上面に、ドアパネルが開けられる側からその閉じ方向へ向かって徐々に高くなる傾斜面部を形成しているので、ドアパネルを閉じる際、パッキン片は同傾斜面部に当接して折曲弾性変形され易く、該パッキン片がパッキン収容スペースからスムーズに引き出されるようになって、止水動作には支障を来すことがない。
【００１７】
本願請求項４記載の発明に係るドア用止水装置は、上記請求項１〜３のいずれか一つに記載のドア用止水装置において、折曲弾性変形されて固定支持枠の下枠部の上面に当接されるパッキン片の外側面に低硬度弾性材層を形成し、同パッキン片の内側を高硬度弾性材層で形成したことを特徴とする。
【００１８】
したがって、この場合は特に、固定支持枠の下枠部の上面に当接されるパッキン片の外側面に低硬度弾性材層を形成しているので、パッキン片と同下枠部の上面との間に異物が噛み込んでも、該異物は弾性変形し易い同低硬度弾性材層で吸収され、該低硬度弾性材層が同下枠部の上面に支障なく当接される。しかも、パッキン片の内側を高硬度弾性材層で形成しているので、前記低硬度弾性材層が擦れにより摩耗しても、該高硬度弾性材層の大きな弾性復元力によって密閉圧力は確保され、止水性低減防止が図られて同パッキン片の破損も防止される。
【００１９】
本願請求項５記載の発明に係るドア用止水装置は、上記請求項１〜４のいずれか一つに記載のドア用止水装置において、折曲弾性変形されて固定支持枠の下枠部の上面に当接されるパッキン片の外側面に表面層を形成し、該表面層とその内側に形成される芯材層との色を相違させたことを特徴とする。
【００２０】
したがって、この場合は特に、固定支持枠の下枠部の上面に当接されるパッキン片の外側面に形成される表面層と、その内側に形成される芯材層との色を相違させているので、摩耗により表面層がなくなると、該表面層とは異なる色の芯材層が現出して目視確認され、該摩耗時の外観色検査によって同パッキン片の交換時期は簡単に把握され得るようになる。
【００２２】
本願請求項６記載の発明に係るドア用止水装置は、上記請求項１〜５のいずれか一つに記載のドア用止水装置において、パッキン片の下部先端付近の側端にガイドピンを突設し、該ガイドピンが出入自在に係合されるガイド溝部を固定支持枠の側枠部内側面に形成し、ドアパネルの閉動作に伴って、該ガイド溝部に係合された同ガイドピンが摺動ガイドされることで、同パッキン片が折曲弾性変形されると共にパッキン収容スペースから引き出されるようになしたことを特徴とする。
【００２３】
したがって、この場合は特に、ドアパネルの閉動作に伴って、ガイド溝部に係合されたガイドピンが摺動ガイドされることで、パッキン片が折曲弾性変形されると共にパッキン収容スペースから引き出されるようになしているので、該パッキン片は摩擦係数が小さくても確実に折曲弾性変形されて引き出されるようになる。
【００２４】
本願請求項７記載の発明に係るドア用止水装置は、上記請求項１〜６のいずれか一つに記載のドア用止水装置において、固定支持枠を浴室の出入り口に設置し、該固定支持枠の下枠部の上面をその両側の浴室側床面及び脱衣室側床面と略同一高さで連続させたことを特徴とする。
【００２５】
したがって、この場合は特に、固定支持枠の下枠部の上面をその両側の浴室側床面及び脱衣室側床面と略同一高さで連続させたので、浴室の出入り口にて段差を解消するバリアフリー化が図られ、ここでは、ドアパネルの下方に発生する隙間をその閉動作に伴い密閉することができて、同ドアパネルの開閉動作に支障を来さないということで有効となる。
【００２６】
【発明の実施の形態】
図１〜５は、本願請求項１〜３、７に対応する第一の実施形態を示し、該実施形態のドア用止水装置は、矩形状の固定支持枠１と、該固定支持枠１の矩形開口内に開閉自在に取り付けられるドアパネル２と、該ドアパネル２の下端縁に垂設されて同固定支持枠１の下枠部３との間に生じる隙間を密閉する柔軟なパッキン片４と、を備えている。
【００２７】
そして、該実施形態のドア用止水装置では、前記ドアパネル２の下端縁部分に下方へ開口したパッキン収容スペース５を形成し、該パッキン収容スペース５内でパッキン片４を伸縮自在な弾性材６を介し支持吊設して、該パッキン片４の下部を同パッキン収容スペース５から下方へ垂下突設し、ドアパネル２の閉動作に伴って、固定支持枠１の下枠部３の上面に当接した同パッキン片４が折曲弾性変形されると共に伸張される前記弾性材６の弾性復元力に抗して同パッキン収容スペース５から引き出されることで、該パッキン片４と同下枠部３の上面との間の接触面積が増大されるようになしている。
【００２８】
この場合、相互に接触される固定支持枠１の下枠部３の上面とパッキン片４との間に生じる摩擦抵抗で、該パッキン片４が同下枠部３の上面に当接保持されることによって、同パッキン片４が折曲弾性変形されると共にパッキン収容スペース５から引き出されるものである。そして、ドアパネル２に付設された把手ハンドル７の操作により、パッキン片４がパッキン収容スペース５内へと引き込まれて復帰されるようになしている。又、固定支持枠１の下枠部３の上面に、ドアパネル２が開けられる側からその閉じ方向へ向かって徐々に高くなる傾斜面部18を形成してもいる。
【００２９】
又、該実施形態のドア用止水装置では、図３に示す如く、固定支持枠１を浴室16の出入り口17に設置して、該固定支持枠１の下枠部３の上面をその両側の浴室側床面18及び脱衣室側床面19と略同一高さで連続させている。この場合、浴室16は建物躯体内でユニットルーム20として組立施工されたものであり、その浴室側床面18が床パン21にて形成され、該床パン21には浴室16の出入り口17と対向する側に浴槽22が設置されている。ここでは、浴槽22から多量に溢出した湯水23やシャワーから噴出された湯水23等が浴室側床面18上に溜まっても、該湯水23は浴室16外の脱衣室側床面19へと漏出しないように止水される。
【００３０】
図４に示す如く、固定支持枠１は上枠部24と下枠部３と両側枠部25とを矩形状に枠組み形成したもので、前記浴室16の出入り口17に取着固定されて設置施工される。上枠部24、下枠部３、側枠部25となる各枠材は、アルミニウム或いは合成樹脂で押出成形された型材でなる。ドアパネル２は上框部26と下框部27と両縦框部28とを矩形状に枠組み形成した框組体内に中桟部29を架設し、該中桟部29で仕切られる上下の開口内に透光パネル30を嵌め込んで形成したもので、前記固定支持枠１内にスウィングドアとして開閉されるよう回動自在に枢支取着される。上框部26、下框部27、縦框部28、中桟部29となる各框材もまた、アルミニウム或いは合成樹脂で押出成形された型材でなる。透光パネル30は、透明或いは半透明のガラス板若しくは合成樹脂板でなる。
【００３１】
前記ドアパネル２が固定支持枠１内に枢支取着されるに際しては、図２、４に示す如く、ドアパネル２の軸支される側の縦框部28の上下両端に軸ピン31を突設し、該上下の軸ピン31を同固定支持枠１の上枠部24及び下枠部３に各々回動自在に嵌合支持させている。そして、図１、２に示す如く、ドアパネル２の型材で形成された下框部27の中空内部スペースがパッキン収容スペース５とされ、該パッキン収容スペース５内でパッキン片４はコイルバネである複数の弾性材６を介し支持吊設されている。
【００３２】
パッキン片４は、例えば、シリコンゴム、フッ素ゴム、ニトリルゴム、ウレタンゴム等の柔軟な弾性材料で成形され、ドアパネル２の下框部27の略全長にわたる長さ寸法で、下部先端部分が丸みをもった断面略舌片状に形成されている。パッキン片４の上端にはその略全長にわたるバー状で硬質の可動ブロック32が固着されており、該可動ブロック32に同パッキン片４は垂設一体化されている。可動ブロック32はパッキン収容スペース５の両内側壁に設けられたガイド部34でガイドされて上下にスムーズに摺動され、又、該可動ブロック32の前後に突設されたストッパー片33によってパッキン片４が同パッキン収容スペース５から抜け外れないよう所定の範囲で引き出されるようになっている。
【００３３】
前記可動ブロック32の両端には各々ワイヤー35の一端が固着結合され、該両ワイヤー35の他端は各々把手ハンドル７に結合されている。この場合、把手ハンドル７はドアパネル２が軸支固定される側とは反対側の縦框部28の表裏に突設されており、該表裏の把手ハンドル７を連結一体化する軸部分に両ワイヤー35の他端が巻取り結合されている。又、両ワイヤー35はドアパネル２の縦框部28や中桟部29の型材内部を挿通されて外部に露出しないようになっていて、ドアパネル２が軸支固定される側の縦框部28内では、長くなる方のワイヤー35が滑車ｋによって方向変換されている。
【００３４】
それ故、把手ハンドル７を回動操作することで、パッキン片４は可動ブロック32と共にワイヤー35を介して強制的に引き上げられ、該パッキン片４がパッキン収容スペース５内へと引き込まれて復帰されるものである。又、復帰された状態で、パッキン片４の下部先端部分は固定支持枠１の下枠部３の上面に若干当接し得るものであり、これによって、同下枠部３の上面とパッキン片４との間に摩擦抵抗が生じ、ドアパネル２の閉動作に伴って、該パッキン片４は折曲弾性変形されると共にパッキン収容スペース５から引き出されるものである。
【００３５】
すなわち、この場合、ドアパネル２を閉じる際に、図１（ａ）に示す如く、固定支持枠１の下枠部３の上面とパッキン片４の下部先端部分との間に前記摩擦抵抗が発生して、該摩擦抵抗により該パッキン片４の下部先端部分は同下枠部３の上面に当接保持され、更に、ドアパネル２が閉じられると、図１（ｂ）に示す如く、同パッキン片４の下部先端部分は同下枠部３の上面に当接保持された状態のままで、該パッキン片４の下部が折曲弾性変形されると共にパッキン収容スペース５から引き出されるものである。
【００３６】
又、その際、パッキン片４は傾斜面部８に当接して折曲弾性変形され易く、パッキン収容スペース５からスムーズに引き出される。この場合、傾斜面部８は固定支持枠１の下枠部３の上面に、ドアパネル２が開けられる側からその閉じ方向へ向かって徐々に高くなるように形成されており、その傾斜角度θは10度以下に設定されている。又、図５に示す如く、傾斜面部８は下枠部３の上面にドアパネル２の軸支固定側程巾狭となるよう略三角形状に形成されており、前記パッキン片４の下部先端部分が同下枠部３の上面に軸支固定側からスムーズに当接されるものである。
【００３７】
又、固定支持枠１の側枠部内側面15にも前記と同様の傾斜面部８（ここでは略三角形状ではない）が形成されており、該側枠部内側面15のドア厚み方向の中心と対応する位置で上下方向にわたって同傾斜面部８上にシーリング材36が取着固定されている。シーリング材36は固定支持枠１の上枠部24の内側面にも連続して付設されており、該シーリング材36と前記パッキン片４とによって、ドアパネル２の外周と同固定支持枠１の内周との間に発生する隙間が全周にわたって確実に密閉される。
【００３８】
そして、ドアパネル２を開ける際には、該ドアパネル２の閉動作に伴って、前記長く突出したパッキン片４が弾性材６の弾性復元力によって自動的にパッキン収容スペース５内へと引き込まれ、該パッキン片４と下枠部３の上面との間における摩擦抵抗も減少して、同ドアパネル２を抵抗少なくスムーズに開けることができる。又、その際、前記把手ハンドル７を回動操作してドアパネル２を開けると、パッキン片４はパッキン収容スペース５内へと確実に引き込まれ、ドアパネル２をより抵抗少なくスムーズに開けることができる。
【００３９】
したがって、該実施形態のドア用止水装置においては、ドアパネル２の閉動作に伴って、固定支持枠１の下枠部３の上面に当接したパッキン片４が折曲弾性変形されると共にパッキン収容スペース５から自動的に引き出されるので、該引き出されて下方へ長く突出したパッキン片４と同下枠部３の上面との間の接触面積は必然的に増大され、同折曲弾性変形されたパッキン片４の弾性復元力によって密閉圧力も高く維持確保られ、人力（人がドアパネル２を閉じる動力）によるエネルギー畜力で高密閉圧力にての止水性向上が簡単に図られる。
【００４０】
又、この場合、相互に接触される固定支持枠１の下枠部３の上面とパッキン片４との間に生じる摩擦抵抗で、該パッキン片４が同下枠部３の上面に当接保持されることによって、同パッキン片４が折曲弾性変形されると共にパッキン収容スペース５から引き出されるようになっているので、該パッキン片４は簡単な構造で折曲弾性変形されて引き出されるものである。しかも、固定支持枠１の下枠部３の上面に、ドアパネル２が開けられる側からその閉じ方向へ向かって徐々に高くなる傾斜面部８を形成しているので、ドアパネル２を閉じる際に、パッキン片４は同傾斜面部８に当接して折曲弾性変形され易く、該パッキン片４がパッキン収容スペース５からスムーズに引き出されるようになって、止水動作には支障を来すことがなくなる。
【００４１】
又、該実施形態のドア用止水装置においては、前記パッキン片４が、ドアパネル２の下端縁部分に形成されたパッキン収容スペース５内で伸縮自在な弾性材６を介して吊り下げ支持され、該弾性材６の弾性復元力に抗して同パッキン収容スペース５から引き出されるものであるため、ドアパネル２を開ける際に、該パッキン片４は同弾性材６の弾性復元力によりパッキン収容スペース５内へと自動的に引き込まれて体裁良くコンパクトに納まる。又、その際、パッキン片４と下枠部３の上面との間における摩擦抵抗も減少するので、ドアパネル２を抵抗少なくスムーズに開けることができる。
【００４２】
又、該実施形態のドア用止水装置においては、ドアパネル２に付設された把手ハンドル２の回動操作により、パッキン片４がパッキン収容スペース５内へと強制的に引き込まれて復帰されるようになしているので、ドアパネル２を開ける際に、同把手ハンドル７を操作することでパッキン片４はパッキン収容スペース５内へと確実に引き込まれ、この状態で、ドアパネル２をより抵抗少なくスムーズに開けることもできる。
【００４３】
更に、該実施形態のドア用止水装置においては、浴室16の出入り口17に設置施工し、固定支持枠１の下枠部３の上面をその両側の浴室側床面18及び脱衣室側床面19と略同一高さで連続させたので、同浴室16の出入り口17にて床の段差を解消するバリアフリー化が図られる。しかも、ここでは、ドアパネル２の下方に発生する隙間を該ドアパネル２の閉動作に伴い密閉することができて、同ドアパネル２の開閉動作に支障を来さないということで有効となる。すなわち、この場合には、ドアパネル２の開動作の際に、パッキン片４が弾性材６で自動的に或いは把手ハンドル７の回動操作で強制的に引き上げられていて浴室側床面18上を強く擦ることはなく、同ドアパネル２を支障なくスムーズに開けることができる。
【００４４】
又、該実施形態のドア用止水装置において、図６、７に示す如く、折曲弾性変形されて固定支持枠１の下枠部３の上面に当接されるパッキン片４の外側面に低硬度弾性材層９を形成し、同パッキン片４の内側を高硬度弾性材層10で形成しても良い。この場合、低硬度弾性材層９はシェアー硬さＲＡ60のシリコンゴムで形成されており、高硬度弾性材層10が、図６に示すものでは、シェアー硬さＲＡ90のシリコンゴムでなり、前記低硬度弾性材層９と一体に二色成形され、図７に示すものでは、弾性変形し易い薄い金属板でなり、前記低硬度弾性材層９の背方側にインサート成形されている。
【００４５】
したがって、この場合は、本願請求項４にも対応する実施形態となり、固定支持枠１の下枠部３の上面に当接されるパッキン片４の外側面に低硬度弾性材層９を形成しているので、パッキン片４と同下枠部３の上面との間に異物が噛み込んでも、該異物は弾性変形し易い同低硬度弾性材層９で吸収され、該低硬度弾性材層９が同下枠部３の上面に支障なく当接される。しかも、パッキン片４の内側を高硬度弾性材層10で形成しているので、前記低硬度弾性材層９が擦れにより摩耗しても、該高硬度弾性材層10の大きな弾性復元力によって密閉圧力は維持確保され、止水性低減防止が図られて同パッキン片４の破損も防止される。
【００４６】
又、前記図６に示したものと同様の構成のものにおいて、図８に示す如く、高硬度弾性材層10が低硬度弾性材層９よりも大きな体積比率となるように形成しても良い。例えば、高硬度弾性材層10（シェアー硬さＲＡ90のシリコンゴム）：低硬度弾性材層９（シェアー硬さＲＡ60のシリコンゴム）＝７〜９：１としても良く、この場合、外表面側の低硬度弾性材層９は高硬度弾性材層10に比して相当に薄くなる。そして、この場合に、低硬度弾性材層９と高硬度弾性材層10との色が相違するように一体化形成してやると、本願請求項５にも対応する実施形態となって好ましいものである。
【００４７】
すなわち、この場合には、固定支持枠１の下枠部３の上面に当接されるパッキン片４の外側面に形成される表面層11（低硬度弾性材層９）と、その内側に形成される芯材層12（高硬度弾性材層10）との色を相違させているので、摩耗により表面層11がなくなると、該表面層11とは異なる色の芯材層12が現出して目視確認され、該摩耗時の外観色検査によって同パッキン片４の交換時期は簡単に把握され得るようになる。
【００４８】
又、図９〜１１は、本願請求項１、２、６、７に対応する第二の実施形態を示し、該実施形態のドア用止水装置では、パッキン片４の下部先端付近の側端にガイドピン13を突設して、該ガイドピン13が出入自在に係合されるガイド溝部14を固定支持枠１の側枠部内側面15に形成している。そして、ドアパネル２の閉動作に伴って、前記ガイド溝部14に係合されたガイドピン13が摺動ガイドされることにより、パッキン片４が折曲弾性変形されると共にパッキン収容スペース５から引き出されるようになしている。ここでは、シリコンゴムでなるパッキン片４の下部先端付近に長手方向にわたるシャフトをインサート成形し、該シャフトの両端部分を外側方へ突出させることでガイドピン13が形成されており、該シャフトによって同パッキン片４は補強されるものである。
【００４９】
又、この場合、固定支持枠１の下枠部３の上面には、上記第一の実施形態における傾斜面部８が設けられていない。そして、ドアパネル２が若干開けられた状態では、図９（ａ）に示す如く、パッキン片４の下部先端部分が下枠部３の上面から若干浮いた状態となる。ここでは、弾性材６の弾性係数やその配設数等を変化調整することによって、パッキン片４が下枠部３の上面に接触しない適切な高さに保持されている。そして、ドアパネル２を閉じる際に、前記ガイドピン13がガイド溝部14の開口端37から該ガイド溝部14に挿入係合される。
【００５０】
引き続き、ドアパネル２を閉じ方向へ移動させてやると、図９（ｂ）に示す如く、パッキン片４の下部先端部分が下枠部３の上面に当接する。最後に、ドアパネル２を更に閉じ方向へ移動させて完全に閉じようとする過程で、図９（ｃ）に示す如く、前記ガイド溝部14に係合されたガイドピン13が摺動ガイドされて、パッキン片４は折曲弾性変形されると共にパッキン収容スペース５から引き出されるものである。
【００５１】
すなわち、前記ガイド溝部14は、パッキン片４が徐々に折曲弾性変形されるような軌跡を描くように、固定支持枠１の側枠部内側面15に形成されている。この場合、ドアパネル２を閉じ方向へ移動させる人の動作力が 20kgf以下となるように、ガイド溝部14の軌跡は調整設定されている。又、ガイドピン13及びガイド溝部14はドアパネル２の両側に配設されるものであるが、ドアパネル２の軸支固定側では該ガイドピン13及びガイド溝部14を適切に形成することが難しいため、同ガイドピン13及びガイド溝部14をドアパネル２の軸支固定側とは反対側にだけ形成しても良い。
【００５２】
又、ドアパネル２を開ける際には、上記第一の実施形態におけると同様に、把手ハンドル７を回動操作することでパッキン片４を引き上げることができ、その際、図１０に示す如く、駆動ブロック39の回動作用によって、前記ガイド溝部14に係合されたガイドピン13は、該ガイド溝部14の開口端37から支障なくスムーズに離脱される。この場合、図１１に示す如く、固定支持枠１の側枠部内面15に凹所38が形成され、該凹所38内で回動自在となるように略三角形状の駆動ブロック39が連結軸部40で枢支され、該駆動ブロック39は下方へ回動する方向にスプリング41により弾発付勢されている。
【００５３】
そして、通常、駆動ブロック39はストッパー42に当止して下方に位置しているが、図１０（ａ）に示す如く、ドアパネル２を開ける際には、把手ハンドル７の回動操作によりパッキン片４と共に引き上げられるガイドピン13が当接されることによって、同駆動ブロック39は前記スプリング41の弾性復元力に抗し上方へ押し上げられて回動する。これにより、パッキン片４がその初期動作として若干引き上げられて、該パッキン片４と下枠部３の上面との間の摩擦抵抗は減少し、ドアパネル２の開動作が楽になる。
【００５４】
その後、前記ドアパネル２を楽に開動作させ得るようになった状態で、図１０（ｂ）に示す如く、同ドアパネル２を開動作させると、前記ガイドピン13が傾斜したガイド溝部14に摺動ガイドされることによって、パッキン片４は更に上昇される。そして、図１０（ｃ）に示す如く、パッキン片４の下部先端部分が下枠部３の上面から離脱されて、ガイドピン13はガイド溝部14の開口端37から導出離脱される。その際には、前記駆動ブロック39がスプリング41の弾性復元力でストッパー42に当止した状態に復帰しており、その後は、ドアパネル２を支障なくスムーズに開けることができる。
【００５５】
したがって、該実施形態のドア用止水装置においては、ドアパネル２の閉動作に伴って、ガイド溝部14に係合されたガイドピン13が摺動ガイドされることにより、パッキン片４が折曲弾性変形されると共にパッキン収容スペース５から引き出されるようになっているので、該パッキン片４は摩擦係数が小さくても確実に折曲弾性変形されて引き出されるようになる。なお、それ以外は、上記第一の実施形態と同様に構成され、同上記第一の実施形態におけると同様の作用効果が奏される。
【００５６】
又、該実施形態のドア用止水装置において、図１２に示す如く、パッキン片４のシリコンゴムでなる芯材層12の外側面に、フッ素樹脂をコーティングしてなる表面層11を被覆形成しても良い。この場合には、パッキン片４と下枠部３の上面との間における摩擦抵抗が減少されて、該パッキン片４は摩耗量低減によりその長寿命化が図られる。又、ここで、表面層11と芯材層12との色を相違させても良く、この場合には、本願請求項５にも対応する実施形態となるもので、摩耗により同表面層11がなくなると、該表面層11とは異なる色の同芯材層12が現出して目視確認され、該摩耗時の外観色検査によってパッキン片４の交換時期は簡単に把握され得るようになる。
【００５７】
又、該実施形態のドア用止水装置において、図１３に示す如く、パッキン片４の表面層11と芯材層12とを同種で且つ異色のシリコンゴムで形成しても良い。この場合、例えば、表面層11を白色のシリコンゴムで 0.5〜2mm 程度の層厚に形成し、芯材層12を赤色のシリコンゴムで形成して、両者をサンドイッチ成形することによりパッキン片４が得られる。この場合にも、本願請求項５に対応する実施形態となり、摩耗により表面層11がなくなると、該表面層11とは異なる色の芯材層12が現出して目視確認され、該摩耗時の外観色検査によってパッキン片４の交換時期は簡単に把握され得るようになる。
【００５８】
又、図１４、１５は、本願請求項１〜３、７に対応する第三の実施形態を示すものであり、該実施形態のドア用止水装置では、二枚のドアパネル２が枢支連結具43を介し連結されて折り畳みドアとして開閉自在となるよう固定支持枠１に取り付けられるものである。この場合、二枚のドアパネル２が枢支連結されてなる折り畳みドアは、その両外側端に位置する縦框部28の上端に突設されるランナー44が固定支持枠１の上枠部24に形成される溝状上レール部45にスライド自在に係合され、同縦框部28の下端に垂設されるガイドピン46が同固定支持枠１の下枠部３に形成される溝状下レール部47にスライド自在に係合されて、同固定支持枠１の矩形開口内に吊り下げ支持されている。
【００５９】
そして、一方の縦框部28の上下両端に配設されるランナー44及びガイドピン46が固定支持枠１の上枠部24、下枠部３に各々取着されることで軸支固定され、これによって、前記折り畳みドアは同固定支持枠１の矩形開口内に折り畳み開閉自在に設けられている。この場合、他方の縦框部28が軸支移動されて、折り畳みドアは折り畳み開閉される。又、折り畳みドアの連結折曲部位に隣接する一方の縦框部28の上端にはラッチ48が突設されており、該ラッチ48は前記溝状上レール部45に着脱自在に係止されるもので、該係止状態において同折り畳みドアの伸展して閉じられた状態が保持されるものである。
【００６０】
前記折り畳みドアの軸支固定される側と反対側の開閉先端側に位置するドアパネル２の表裏の中桟部29には把手ハンドル７が付設されており、同軸支固定される吊元側のドアパネル２には同把手ハンドル７が付設されていない。又、両ドアパネル２の下框部27にはガラリ49が設けられている。そして、両ドアパネル２の下框部27には各々、上記第一の実施形態と同様にパッキン片４が具備され、該パッキン片４は前記把手ハンドル７の操作によって引き上げられる。
【００６１】
この場合、両ドアパネル２の下框部27に配設される可動ブロック32が、いずれもワイヤー35及び該ワイヤー35を方向変換させる滑車ｋを介して一方のドアパネル２の把手ハンドル７と連結されており、該把手ハンドル７を操作することで同両可動ブロック32は連動して強制的に引き上げられる。そして、両ドアパネル２のパッキン片４は連続して一体に形成され、折り畳みドアの連結折曲部位にて折曲されるものであり、把手ハンドル７の操作で両可動ブロック32と一体となって強制的に引き上げられる。
【００６２】
ここでは、ドアパネル２を閉じる際に、把手ハンドル７のできるだけ連結折曲部位に近い側を持って動作されるものであり、浴室16内側では同把手ハンドル７を押し、浴室16外側では同把手ハンドル７を引いて、同ドアパネル２が閉動作されるものである。そして、ドアパネル２を閉じる際に把手ハンドル７を押し引き操作することにより、前記両パッキン片４がパッキン収容スペース５内へと確実に引き込まれ、この状態で、ドアパネル２をより抵抗少なくスムーズに開けることができるようになる。なお、それ以外は、上記第一の実施形態と同様に構成され、同上記第一の実施形態におけると同様の作用効果が奏される。
【００６３】
又、本願発明のドア用止水装置は、浴室ドア以外、例えば、玄関ドアや勝手口ドア等として設置施工されるものであっても良い。又、上記第一及び第二の実施形態ではスウィングドアに設けられており、上記第三の実施形態では折り畳みドアに設けられているが、本願発明のドア用止水装置においては、スライディングドアや回転ドア等に設けても、同様の作用効果が奏される。
【００６４】
【発明の効果】
上述の如く、本願請求項１記載の発明に係るドア用止水装置においては、ドアパネルの閉動作に伴って、引き出されたパッキン片と下枠部の上面との間の接触面積が増大され、折曲弾性変形された同パッキン片の弾性復元力により密閉圧力も高められ、人力によるエネルギー畜力で高密閉圧力にての止水性向上が簡単に図られる。しかも、ドアパネルを開ける際、パッキン片は弾性材の弾性復元力によりパッキン収容スペース内へと引き込まれて体裁良くコンパクトに納まり、その際、該パッキン片と下枠部の上面との間における摩擦抵抗も減少して、同ドアパネルを抵抗少なくスムーズに開けることができる。そして、このドア用止水装置においては、特に、固定支持枠の下枠部の上面とパッキン片との間に生じる摩擦抵抗で、該パッキン片が同下枠部の上面に当接保持されて、同パッキン片は簡単な構造で折曲弾性変形されて引き出されるようになる。
【００６５】
又、本願請求項２記載の発明に係るドア用止水装置においては、特に、ドアパネルを開ける際、把手ハンドルを操作することでパッキン片はパッキン収容スペース内へと確実に引き込まれ、この状態で、同ドアパネルをより抵抗少なくスムーズに開けることができる。
【００６６】
又、本願請求項３記載の発明に係るドア用止水装置においては、特に、ドアパネルを閉じる際、パッキン片が傾斜面部に当接して折曲弾性変形され易く、該パッキン片はパッキン収容スペースからスムーズに引き出されるようになって、止水動作に支障を来すことが防止される。
【００６７】
又、本願請求項４記載の発明に係るドア用止水装置においては、特に、パッキン片と下枠部の上面との間に噛み込んだ異物が低硬度弾性材層で吸収され、該低硬度弾性材層は同下枠部の上面に支障なく当接され、しかも、同低硬度弾性材層が摩耗しても、高硬度弾性材層で密閉圧力は確保され、止水性低減防止が図られて同パッキン片の破損も防止される。
【００６８】
又、本願請求項５記載の発明に係るドア用止水装置においては、特に、摩耗により表面層がなくなると、該表面層とは異なる色の芯材層が現出して目視確認され、該摩耗時の外観色検査によってパッキン片の交換時期は簡単に把握され得るようになる。
【００７０】
又、本願請求項６記載の発明に係るドア用止水装置においては、特に、パッキン片に突設されたガイドピンが側枠部に形成されたガイド溝部に係合されて摺動ガイドされることにより、同パッキン片は摩擦係数が小さくても確実に折曲弾性変形されて引き出されるようになる。
【００７１】
又、本願請求項７記載の発明に係るドア用止水装置においては、特に、固定支持枠の下枠部の上面がその両側の浴室側床面及び脱衣室側床面と略同一高さで連続されて、浴室の出入り口で段差を解消するバリアフリー化が図られ、ドアパネルの下方に発生する隙間はその閉動作に伴い密閉されて、同ドアパネルの開閉動作に支障を来さないということで有効となる。
【図面の簡単な説明】
【図１】本願発明の第一の実施形態であるドア用止水装置のドアパネルの閉動作過程を示す（ａ）（ｂ）各過程における側面側からみた要部縦断面図。
【図２】同ドア用止水装置の正面側からみた要部縦断面図。
【図３】同ドア用止水装置が施工された浴室を示す縦断面図。
【図４】同ドア用止水装置を示す外観斜視図。
【図５】同ドア用止水装置のドアパネルの閉動作過程を示す（ａ）（ｂ）各過程における横断面図。
【図６】同ドア用止水装置におけるパッキン片の応用形態を例示する側面側からみた要部縦断面図。
【図７】同ドア用止水装置におけるパッキン片の別の応用形態を例示する側面側からみた要部縦断面図。
【図８】同ドア用止水装置におけるパッキン片の更に別の応用形態を例示する側面側からみた要部縦断面図。
【図９】本願発明の第二の実施形態であるドア用止水装置のドアパネルの閉動作過程を示す（ａ）（ｂ）（ｃ）各過程における側面側からみた要部縦断面図。
【図１０】同ドア用止水装置のドアパネルの開動作過程を示す（ａ）（ｂ）（ｃ）各過程における側面側からみた要部縦断面図。
【図１１】同ドア用止水装置のガイド溝部付近を示す要部斜視図。
【図１２】同ドア用止水装置におけるパッキン片の応用形態を例示する側面側からみた要部縦断面図。
【図１３】同ドア用止水装置におけるパッキン片の別の応用形態を例示する側面側からみた要部縦断面図。
【図１４】本願発明の第三の実施形態であるドア用止水装置を示す外観正面図。
【図１５】同ドア用止水装置の正面側からみた縦断面図。
【図１６】従来例であるドア用止水装置を示す側面側からみた要部縦断面図。
【図１７】同ドア用止水装置のドアパネルの開閉状態を示す（ａ）は開状態（ｂ）は閉状態における各概略正面図。
【符号の説明】
１  固定支持枠
２  ドアパネル
３  下枠部
４  パッキン片
５  パッキン収容スペース
６  弾性材
７  把手ハンドル
８  傾斜面部
９  低硬度弾性材層
10  高硬度弾性材層
11  表面層
12  芯材層
13  ガイドピン
14  ガイド溝部
15  側枠部内側面
16  浴室
17  出入り口
18  浴室側床面
19  脱衣室側床面
【図１】
0003722042.tif 000002
【図２】
0003722042.tif 000003
【図３】
0003722042.tif 000004
【図４】
0003722042.tif 000005
【図５】
0003722042.tif 000006
【図６】
0003722042.tif 000007
【図７】
0003722042.tif 000008
【図８】
0003722042.tif 000009
【図９】
0003722042.tif 000010
【図１０】
0003722042.tif 000011
【図１１】
0003722042.tif 000012
【図１２】
0003722042.tif 000013
【図１３】
0003722042.tif 000014
【図１４】
0003722042.tif 000015
【図１５】
0003722042.tif 000016
【図１６】
0003722042.tif 000017
【図１７】
0003722042.tif 000018